(57)【要約】【課題】  複数種類の携帯電子機器を充電中においても、ユーザの利便性がよい技術を提供する。【解決手段】    情報処理装置とネットワークで接続され、複数種類の携帯電子機器を充電するための充電装置において、携帯電子機器の識別子を受信する受信手段と、携帯電子機器の機能を情報処理装置に代行させるために、受信手段にて受信した各携帯電子機器の識別子と、情報処理装置を対応付けて管理する代行管理テーブルを有する管理手段と、代行管理テーブルに基づいて、各携帯電子機器の機能を情報処理装置に代行させる代行手段とを備える。【選択図】  図１
2012065012.tif 000002
【特許請求の範囲】
【請求項１】
情報処理装置とネットワークで接続され、複数種類の携帯電子機器を充電するための充電装置において、
前記携帯電子機器の識別子を受信する受信手段と、
前記携帯電子機器の機能を前記情報処理装置に代行させるために、前記受信手段にて受信した各携帯電子機器の識別子と、前記情報処理装置を対応付けて管理する代行管理テーブルを有する管理手段と、
前記代行管理テーブルに基づいて、各前記携帯電子機器の機能を前記情報処理装置に代行させる代行手段と
を備えること特徴とする充電装置。
【請求項２】
前記情報処理装置は、パーソナルコンピュータ、固定電話、ＴＶ、オーディオ機器のいずれか、または複数の組み合わせである
ことを特徴とする請求項１に記載の充電装置。
【請求項３】
前記代行管理テーブルは、代行優先情報を含み、
前記代行させる手段は、前記代行優先情報に基づいて、前記携帯電子機器の機能を前記情報処理装置に代行させるか否かを判定する
ことを特徴とする請求項１に記載の充電装置。
【請求項４】
情報処理装置とネットワークで接続され、複数種類の携帯電子機器を充電するための充電装置の制御方法において、
前記携帯電子機器の識別子を受信する受信工程と、
前記携帯電子機器の機能を前記情報処理装置に代行させるために、前記受信工程にて受信した各携帯電子機器の識別子と、前記情報処理装置を対応付けて管理する代行管理テーブルを有する管理工程と、
前記代行管理テーブルに基づいて、各前記携帯電子機器の機能を前記情報処理装置に代行させる代行工程と
を備えることを特徴とする充電装置の制御方法。
【請求項５】
コンピュータを、請求項１乃至４の何れか１項に記載の充電装置が有する各手段として機能させるためのコンピュータプログラム。
【請求項６】
請求項５に記載のプログラムを格納したコンピュータ読み取り可能な記録媒体。
【発明の詳細な説明】
【技術分野】
【０００１】
本発明は、充電装置、制御方法、プログラム、および記録媒体に関し、特に、充電中の携帯電子機器の機能を情報処理装置に転送する技術に関する。
【背景技術】
【０００２】
21世紀に入り家庭用電子機器、携帯電子機器は、いわゆるアナログからデジタル化の一途を辿っている。フィルムやテープであったものは、全て電子媒体が取って代わり、戦後から続いてきたアナログテレビジョン放送も近日中にデジタル放送に代わる予定となった。中でも、携帯電話やＰＤＡなどに代表される携帯電子機器は広く普及し、音声通話、メール、ウェブアクセス、写真の撮影、音楽の再生、映像の再生、およびプログラムの実行など、多数の付加的な機能を持つ情報端末に進化している。特に近年ではタッチパネル機能、機器への振動を探知する機能を備えた機器も登場し、高性能化の一途を辿っている。
【０００３】
また、デジタルカメラやMP3プレーヤーといった写真撮影や、音楽の再生等一部の機能に特化した機器も高性能化が著しく、先述の携帯電話やＰＤＡと同様にシェアを延ばし、携帯して使用する人口も増加している。これら携帯電子機器は、ワイヤレスでの使用が中心となる為、充電が欠かせない。近年ではこれらの充電器として、汎用性のある非接触型充電器（例えば、充電パッド）が登場している。
【０００４】
また、特許文献１には、携帯電話の充電器にスピーカーとマイクロホンを備え、充電しながら、スピーカーとマイクロホンを用いてハンズフリーな状態での通話を行う構成が開示されている。
【先行技術文献】
【特許文献】
【０００５】
【特許文献１】特開2002-247173号公報
【発明の概要】
【発明が解決しようとする課題】
【０００６】
しかしながら、従来の構成の非接触型充電器は、接続型に比べ長い充電時間が必要となり、充電中の携帯電子機器について、十分な充電ができていない状況では、携帯電子機器の使用が不可、若しくは困難となり、ユーザの利便性が悪い。また、特許文献１は、携帯電話以外の携帯型電子機器には対応できない。
【０００７】
本発明は、以上の課題に鑑みてなされたものであり、複数種類の携帯電子機器を充電中においても、ユーザの利便性がよい技術を提供することを目的とする。
【課題を解決するための手段】
【０００８】
上記目的を達成するため、本発明によれば、
情報処理装置とネットワークで接続され、複数種類の携帯電子機器を充電するための充電装置において、
前記携帯電子機器の識別子を受信する受信手段と、
前記携帯電子機器の機能を前記情報処理装置に代行させるために、前記受信手段にて受信した各携帯電子機器の識別子と、前記情報処理装置を対応付けて管理する代行管理テーブルを有する管理手段と、
前記代行管理テーブルに基づいて、各前記携帯電子機器の機能を前記情報処理装置に代行させる代行手段と
を備えること特徴とする充電装置
が提供される。
【発明の効果】
【０００９】
本発明によれば、複数種類の携帯電子機器を充電中においても、ユーザの利便性がよい技術を提供することを目的とする。
【図面の簡単な説明】
【００１０】
【図１】本発明における全体概要を示す図である。
【図２】本発明における代行管理テーブルの一例を示す図である。
【図３】本発明における充電器が行う代行処理の流れを示すフローチャートである。
【図４】本発明における充電器が行う代行優先度に応じた処理の流れを示すフローチャートである。
【図５】本発明における充電器に適用可能なコンピュータのハードウェア構成例を示す図である。
【発明を実施するための形態】
【００１１】
以下、添付図面を参照して本発明に係る実施の形態を詳細に説明する。ただし、この実施の形態に記載されている構成要素はあくまでも例示であり、本発明の範囲をそれらのみに限定する趣旨のものではない。また、本実施の形態で説明されている特徴の組み合わせの全てが発明の解決手段に必須のものとは限らない。
【００１２】
（システム構成）
図１は、本発明における全体概要を示す図である。携帯電子機器１１を充電器１２（充電装置）に非接触充電方式で充電することにより、ＬＡＮ（Local Area Network）等のネットワーク１５を介して接続されている据え置き型電子機器１４（情報処理装置）は、携帯電子機器１の機能を代行する。
【００１３】
ここで、携帯電子機器１の機能を代行するとは、例えば、携帯電話（携帯電子機器１１）を充電中に、携帯電話に電話がかかってきた場合、固定電話（据え置き型電子機器１４）に通話機能を転送させ、固定電話にて通話を代行することである。
【００１４】
携帯電子機器１１は、携帯電話、デジタルカメラ、音楽プレーヤー等、携帯可能な電子機器である。携帯電子機器１１は、充電器１２との非接触充電方式に対応した充電池、ICカード等で用いられている識別情報を有するチップを備える。
【００１５】
充電器１２は、非接触充電方式の充電機能、無線通信モジュール機能、携帯電子機器１１の識別情報を読み取る機能、充電池管理部１３を有する。なお、無線通信モジュール機能とは、赤外線通信やBluetooth方式（商標）等に代表される無線通信を意味する。無線通信モジュール機能を用いることにより、携帯電子機器１の機能を充電器１２に無線通信で提供することができる。
【００１６】
ユーザは、充電器１２に携帯電子機器１１を設置することにより、充電を行う。なお、充電器１２をＰＣ（情報処理装置）に接続し、ＰＣのディスプレイとポインティングデバイスを含めて、充電器１２（充電装置）と呼ぶ構成とすることも可能である。
【００１７】
据え置き型電子機器１４（情報処理装置）は、パーソナルコンピュータ、固定電話、ＴＶ、オーディオ機器等、携帯電子機器１１の代行を行う機能に関して、共通の規格を有する、若しくは、共通のフォーマットのコンテンツを扱える電子機器である。
【００１８】
充電池管理部１３は、後述するＨＤＤ５４に保持されている代行管理テーブル（図２）を参照し、携帯電子機器１１の識別情報に基づいて、携帯電子機器１１の機能を据え置き型電子機器１４に代行させる（代行手段）。
【００１９】
なお、代行手段は、携帯電子機器１１の機能（例えば、通話情報）を据え置き型電子機器１４に転送（送信）することを含む。
【００２０】
（ハードウェア構成）
図５は、本発明における充電器に適用可能なコンピュータのハードウェア構成例を示す図である。
【００２１】
ＣＰＵ５１は、ＲＯＭ５２やＲＡＭ５３に格納されているコンピュータプログラムやデータを用いてコンピュータ全体の制御を行う。本コンピュータを充電器１２に適用した場合、ＣＰＵ５１は、充電器１２が行うものとして後述する各処理を実行する。
【００２２】
ＲＯＭ５２には、本コンピュータの設定データや、ブートプログラムなどが格納されている。ＲＡＭ５３は、ＨＤＤ（ハードディスクドライブ）５４からロードされたコンピュータプログラムやデータ、インターフェース５７を介して外部から受信したデータなどを一時的に記憶するためのエリアを有する。更に、ＲＡＭ５３は、ＣＰＵ５１が各種の処理を実行する際に用いるワークエリアを有する。即ち、ＲＡＭ５３は、各種のエリアを適宜提供することができる。
【００２３】
ＨＤＤ５４には、ＯＳ（オペレーティングシステム）や、本コンピュータを適用した装置が行う各種の処理をＣＰＵ５１に実行させるためのコンピュータプログラムやデータが保存されている。
【００２４】
本コンピュータを充電器１２に適用した場合、係るコンピュータプログラムには、充電器１２が行うものとして後述する各処理をＣＰＵ５１に実行させるためのコンピュータプログラムが含まれている。また、後述する代行管理テーブルについてもこのＨＤＤ５４内に設けられている。
【００２５】
ＨＤＤ５４に保存されているコンピュータプログラムやデータは、ＣＰＵ５１による制御に従って適宜ＲＡＭ５３にロードされ、ＣＰＵ５１による処理対象となる。
入力装置５５は、キーボードやマウスなどにより構成されており、本コンピュータの操作者は、この入力装置５５を操作することで、各種の指示をＣＰＵ５１に対して入力することができる。
【００２６】
表示装置５６は、ＣＲＴや液晶画面などにより構成されており、ＣＰＵ５１による処理結果を画像や文字などでもって表示することができる。インターフェース５７は、様々なインターフェースで構成されている。例えば、ネットワーク１５に接続する為のネットワークインターフェースを含む。５８は上述の各部を繋ぐバスである。
【００２７】
本発明では説明を簡単にするために、充電器１２を図５に示した構成を有するコンピュータであるものとして説明するが、コンピュータの構成については係る構成に限定するものではない。
【００２８】
（代行管理テーブル）
図２は、本発明における代行管理テーブルの一例を示す図である。２１は、携帯電子機器１１の識別子を示す。  ２２は、携帯電子機器１１の接続状況を示し、携帯電子機器１１が充電器１２に接続されているか否かの状況が示される。
【００２９】
２３は、２１で登録されている携帯電子機器１１の機能を代行する処理（ジャンル）を示す。２４は、代行優先度（代行優先情報）を示す。複数の携帯電子機器１１の使用を代行する場合には、この優先度に基づいて制御を行う。例えば、代行優先度がＡのMobile-1は、代行優先度ＢのMobile-2より優先度が高く、Mobile-2より優先して代行処理を実行することができる。２５は、携帯電子機器１１に対応する据え置き型電子機器１４の識別子を示す。
【００３０】
代行管理テーブルは、充電器１２の表示装置５６と、入力装置５５を用いて、登録される。なお、充電器１２をＰＣ（情報処理装置）に接続し、ＰＣのディスプレイとポインティングデバイスを用いて、代行管理テーブルへの登録を行ってもよい。
【００３１】
（充電器の処理）
充電器１２において、携帯電子機器１１の機能を据え置き型電子機器１４に代行させる処理について、図３を用いて説明する。
【００３２】
図３は、本発明における充電器１２が行う代行処理の流れを示すフローチャートである。ステップＳ３０１で、ＣＰＵ５１は、充電器１２に充電を行う携帯電子機器が設置されたか否か判定する。
【００３３】
充電器１２に携帯電子機器が設置された場合（ステップＳ３０１のＹＥＳ）、ステップ３０２でＣＰＵ５１は、携帯電子機器１１に対して充電の開始を行う。この時、充電器１２に携帯電子機器１１の識別子を取得する為の初期電力を供給する。
【００３４】
ステップＳ３０３で、ＣＰＵ５１は、携帯電子機器１１の識別子を取得する（受信する）。
ステップＳ３０４で、充電池管理部１３は、ステップＳ３０３で取得した携帯電子機器１１の識別子が、代行管理テーブルに登録済みか否かを判定する。
【００３５】
登録されていなかった場合（ステップＳ３０４のＮＯ）、充電池管理部１３は、ステップＳ３０５で代行管理テーブルへの登録処理を行う。登録処理は、入力装置５５と表示装置５６を用いて、携帯電子機器１１の登録、並びに代行処理を行う据え置き型電子機器１４等を登録する。
【００３６】
代行処理とは、携帯電子機器１１の機能を据え置き型電子機器１４で代行する機能を指す。また、登録の有無を、充電の許可不許可に結び付けてもよい。つまり、代行管理テーブルに登録されてない携帯電子機器１１が充電器１２に設置された場合、携帯電子機器１１への充電を開始しないため、ユーザの意図しない電力の消費を抑えることができる。
【００３７】
登録済の場合（ステップＳ３０４でＹＥＳ）、充電池管理部１３は、対応する代行管理テーブルの接続状態（図２の２２）を「ＯＮ」に変更する。
【００３８】
そして、ステップＳ３０６で、充電池管理部１３は、代行管理テーブルから、代行処理を行う据え置き型電子機器１４を判断し、対応する据え置き型電子機器１４が代行可能か否かを判定する。代行可能とは、対応する据え置き型電子機器１４が充電器１２に接続されていることである。なお、接続されているか否かの確認は、充電器１２が接続確認要求を対応する据え置き型電子機器１４に送信し、要求に対するレスポンスにより判定する。
【００３９】
代行不可能の場合（ステップＳ３０６でＮＯ）、ステップＳ３０８で、ＣＰＵ５１は、携帯電子機器１１の機能を据え置き型電子機器１４へ代行する処理は行わず、通常の充電のみを行う。
【００４０】
代行可能の場合（ステップＳ３０６でＹＥＳ）、充電池管理部１３は、ステップＳ３０７で、代行管理テーブルのジャンル（図２の２３）に基づく代行処理を実行する。代行処理とは、例えば、ジャンル（図２の２３）が「通話代行」の場合、携帯電子機器１１（Mobile-1）への通話情報を、据え置き型電子機器１４（Telephone-1）に転送し、据え置き型電子機器１４にて通話を行うことである。
【００４１】
次に、複数の携帯電子機器１１の機能を同一の据え置き型電子機器１４に代行させる場合の処理について、図４を用いて説明する。
【００４２】
図４は、充電器が行う代行優先度に応じた処理の流れを示すフローチャートである。ステップＳ４０１で、充電池管理部１３は、携帯電子機器１１（例えば、Mobile-1）の代行処理をしている間に、他の携帯電子機器１１（例えば、Mobile-2）の代行処理を受信したか否かを判定する。
【００４３】
他の携帯電子機器１１の代行処理を受信した場合（ステップＳ４０１のＹＥＳ）、ステップＳ４０２で、充電池管理部１３は、管理テーブルを参照し、現在代行処理している携帯電子機器１１（Mobile-1）に対応する据え置き型電子機器１４の識別子と、受信した他の携帯電子機器１１（Mobile-2）に対応する据え置き型電子機器１４の識別子（図２の２５）が同一か否かの判定を行う。
【００４４】
同一の場合（ステップＳ４０２のＹＥＳ）、充電池管理部１３は、管理テーブルを参照し、現在代行している携帯電子機器１１（Mobile-1）の代行優先度が、受信した他の携帯電子機器１１（Mobile-2）の代行優先度より、高いか否かを判定する。
【００４５】
代行優先度が高い場合（ステップＳ４０３のＹＥＳ）、ステップＳ４０４で、充電池管理部１３は、現在代行している携帯電子機器１１（Mobile-1）の代行処理を続行する。
【００４６】
代行優先度が低い場合（ステップＳ４０３のＮＯ）、充電池管理部１３は、ステップＳ４０５で据え置き型電子機器１４の表示部に、代行処理を変更する旨のメッセージを通知する。
【００４７】
ステップＳ４０６で、充電池管理部１３は、携帯電子機器１１（Mobile-1）の代行処理を終了し、他の携帯電子機器１１（Mobile-2）の代行処理を実行する。
【００４８】
また、本発明の目的は、コンピュータプログラムやコンピュータプログラムを格納したコンピュータ読み取り可能な記録媒体によっても実現可能である。例えば、次のようにすることによっても本発明の目的は達成される。すなわち、前述した実施形態の機能を実現するソフトウェアのプログラムコードを記録した記録媒体（または記憶媒体）を、システムあるいは装置に供給する。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述の機能を実現することになり、そのプログラムコードを記録した記録媒体は本発明の技術的範囲に含まれる。
【００４９】
また、コンピュータが読み出したプログラムコードを実行することにより、そのプログラムコードの指示に基づき、コンピュータ上で稼働しているオペレーティングシステム（ＯＳ）などが実際の処理の一部または全部を行う。その処理によって前述した実施形態の機能が実現される場合も本発明の技術的範囲に含まれることは言うまでもない。
【００５０】
さらに、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵなどが実際の処理の一部または全部を行い、その処理によって前述した実施形態の各機能が実現される場合も、本発明の技術的範囲に含まれる。
【００５１】
なお、本発明を上記記録媒体に適用する場合、その記録媒体には、先に説明したフローチャートで示される処理を実行するプログラムコードが格納されることになる。
【００５２】
以上のように、本発明では、充電器が複数種類の携帯電子機器の機能を他の電子機器に代行させることで、複数種類の携帯電子機器を充電中においても、ユーザの利便性がよい技術を提供することができる。
【００５３】
また、数々の携帯電子機器を充電置き場から持ち運ばずして、高性能な据え置き型電子機器で使用できるため、ユーザの操作性がよい。
【００５４】
また、充電中の携帯電子機器の充電池を比較的消費せずに、充電中の携帯電子機器が有する情報を操作することができる。
【００５５】
また、物理的に距離の離れた箇所で充電中の携帯電子機器を移動することなく、身近にある据え置き型電子機器で使用代行できるため、ユーザの利便性がよい。
【符号の説明】
【００５６】
１１  携帯電子機器
１２  充電器
１４  据え置き型電子機器
【図１】
2012065012.tif 000003
【図２】
2012065012.tif 000004
【図３】
2012065012.tif 000005
【図４】
2012065012.tif 000006
【図５】
2012065012.tif 000007